(57)【特許請求の範囲】
【請求項１】
ポンプ、電動機及び該ポンプの運転状態を検出するポンプ運転状態検出手段を備え、該ポンプ運転状態検出手段により、ポンプを始動及び停止する制御部を備え、該制御部は、演算素子ＣＰＵを具備するＣＰＵ部、入力部、出力部、ＲＯＭ（読込専用記憶素子）、ＲＡＭ（読込書込可能記憶素子）を具備する給液装置において、
前記ポンプの始動後にポンプを強制運転させるタイマー手段を備え、
前記制御部は、前記ポンプの運転回数及び積算運転時間を記憶するＥＥＰＲＯＭ（停電保証されている読込書込可能記憶素子）を具備し、
前記ＲＡＭ上に前記ポンプの運転回数及び積算運転時間を計測するカウンターを設け、
前記給液装置の電源投入時に、前記ＥＥＰＲＯＭ内のポンプの運転回数及び積算運転時間のデータを前記ＣＰＵ部が読み込み、該ＣＰＵ部が前記データを前記ＲＡＭに書き込み、
前記タイマー手段の動作時に、前記ＲＡＭに書き込まれた前記データに前記カウンターで計測された運転回数及び積算運転時間を加えたデータを前記ＥＥＰＲＯＭに書き込むことを特徴とする給液装置。
【請求項２】
前記カウンターに予め定めた値以上又は前回のＥＥＰＲＯＭへのデータの書き込みより、経過時間が予め定められた時間以上となった場合に、前記ＥＥＰＲＯＭへの書き込みを行うことを特徴とする請求項１に記載の給液装置。
【請求項３】
前記ポンプの運転回数及び積算運転時間を表示部へ出力する出力手段と、前記制御部からの出力を入力することにより表示の有無を選択する選択手段とを備え、前記選択手段が有の時は、前記運転回数、積算運転時間のデータを更新し、前記選択手段が無の時は、前記データをゼロにして初期化し、更新を行わないことを特徴とする請求項１に記載の給液装置。
【発明の詳細な説明】
【０００１】
【発明の属する技術分野】
本発明は制御部にＥＥＰＲＯＭ（停電保証されている読込書込可能記憶素子）を具備する給液装置において、該ＥＥＰＲＯＭの書き込みを制御することにより、該ＥＥＰＲＯＭを長期間使用できるようにした給液装置に関するものである。
【０００２】
【従来の技術】
従来のこの種の給液装置は、図５に示すような構成例のものが一般的である。従来の給液装置の構成を図５を用いて説明すれば、給液装置１はポンプＰ１、ポンプＰ２、電動機Ｍ１、電動機Ｍ２、ドライバー２−１、ドライバー２−２、漏電遮断器ＥＬＢ１、漏電遮断器ＥＬＢ２及び制御部４等を具備する。ポンプＰ１、Ｐ２はそれぞれ電動機Ｍ１、Ｍ２により駆動され、該電動機Ｍ１、Ｍ２はそれぞれドライバー２−１、２−２の出力で駆動される。該ドライバー２−１、２−２の１次側にはそれぞれ漏電遮断器ＥＬＢ１、ＥＬＢ２が接続されており、該漏電遮断器ＥＬＢ１、ＥＬＢ２の１次側は電源接続用端子３につながれている。
【０００３】
前記ポンプＰ１及びＰ２の吸込口はそれぞれが受水槽（図示せず）に接続されており、ポンプＰ１及びＰ２の吐出側はそれぞれ集合管６に接続されている。該集合管６には、圧力発信器７、圧力タンク８が取り付けられており、ポンプＰ１及びＰ２の吐出側にはそれぞれ水量検知器９−１、水量検知器９−２が取り付けられている。
【０００４】
図６は、従来の給液装置の制御部４の構成例を示す図である。制御部４には、制御機能４−１の各種機能を奏させるために、演算素子ＣＰＵを含むＣＰＵ部４−２、入力部４−３、ＲＯＭ（読込専用記憶素子）４−４、ＲＡＭ（読込書込可能記憶素子）４−５、ＥＥＰＲＯＭ（停電保証されている読込書込可能記憶素子）４−６、出力部４−７が搭載されている。表示部５は出力部４−７の出力結果を表示する。
【０００５】
制御部４は給液装置１に取り付けられている水量検知器９−１、９−２及び圧力発信器７等のセンサの出力（他に漏電信号１，２、故障信号１，２、水槽関係信号）を入力信号として取り込み、ＣＰＵ部４−２で処理し、出力部４−７よりドライバー２−１、２−２を制御するための信号（運転周波数ｆ１、運転周波数ｆ２）を出力する。ＣＰＵ部４−２は、ＲＯＭ４−４、ＲＡＭ４−５及びＥＥＰＲＯＭ４−６と必要に応じて信号を入出力する。
【０００６】
一般的に使用される圧力タンクは小型化されており、ポンプ停止時の圧力タンクの有効容量は極端に小さい。例えば、ポンプ始動時圧力２kgf/cm2、ポンプ停止時圧力３kgf/cm2、圧力タンク容量が１０リットルとすると、ポンプ停止後からポンプ始動までに使用できる水の容量（有効水量）は、
有効水量＝Ｐ０×Ｖ０（１／Ｐ２−１／Ｐ１）
となる。
【０００７】
ここでＰ０：圧力タンク内に水が入っていない時の圧力［絶対圧力］
Ｖ０：圧力タンク内全容積［リットル］
Ｐ１：始動圧力［絶対圧力］
Ｐ２：停止圧力［絶対圧力］
として、上記の式を計算すると、
有効水量＝１.０３３×１０×(１／(１.０３３＋２)−(１／(１.０３３＋３))
≒０.８３［リットル］
ただし、Ｐ０を大気圧つまり１.０３３［kg/cm2abs］とした。このように、圧力タンクの容量が小さいため、使用できる水量は非常に少なくなり、例えば５リットル／分の水量で使用していると、ポンプが停止できる時間は約１０秒間と非常に短い。このためポンプを駆動させるための電動機が頻繁に始動停止を繰り返すことになる。
【０００８】
上記問題を解決する目的で、一般的にポンプ始動後又は水量検知器動作後にタイマーを始動させて、タイマー作動完了後にポンプ停止条件であればポンプを停止させる方法でポンプの運転時間を強制的に延長させている。このように、ポンプと電動機の運転回数又は運転時間との関係は重要であり、該運転回数、運転時間又は相互の積の値等により、給液装置の維持管理を行なっている。該維持管理のため表示部５を設け、ポンプの停止毎又は始動毎に該ポンプの運転回数及び運転時間をそれぞれ運転回数表示部５−１及び運転時間表示部５−２に表示する。
【０００９】
電源が遮断された場合又は停電時の場合を考慮し、一般的にはポンプ運転回数、運転時間が更新される毎にＣＰＵ部４−２より、ＥＥＰＲＯＭ４−６内に書き込まれるようになっている。
【００１０】
【発明が解決しようとする課題】
上記従来のような給液装置では、更新毎にポンプの運転回数、運転時間をＥＥＰＲＯＭに書き込むため、例えば運転時間を１分刻みとして書き込みを実行すると、１年間の連続運転で約５２万５６００回となるが、該ＥＥＰＥＯＭの書込回数制限は、１００万回が目安値であるため約２年間という短期間で該書込回数制限を越えてしまうという欠点があった。また、前記書き込みは４バイト単位で行われるため、次の４バイトの書き込みはすぐに実行することができなく、待ち時間が約３０msec程度あり、この間は割込み処理制御しかできなくなるため、一般のシーケンス制御ができなくなるという恐れがあった。
【００１１】
本発明は上記の点に鑑みてなされたもので、ＥＥＰＲＯＭの書込回数制限を短期間で越えてしまうという欠点を解消するだけでなく、一般のシーケンス制御ができなくなるという恐れのない給液装置を提供することを目的する。
【００１２】
【課題を解決するための手段】
上記課題を解決するため請求項１に記載の発明は、ポンプ、電動機及び該ポンプの運転状態を検出するポンプ運転状態検出手段を備え、該ポンプ運転状態検出手段により、ポンプを始動及び停止する制御部を備え、該制御部は、演算素子ＣＰＵを具備するＣＰＵ部、入力部、出力部、ＲＯＭ（読込専用記憶素子）、ＲＡＭ（読込書込可能記憶素子）を具備する給液装置において、ポンプの始動後にポンプを強制運転させるタイマー手段を備え、制御部は、ポンプの運転回数及び積算運転時間を記憶するＥＥＰＲＯＭ（停電保証されている読込書込可能記憶素子）を具備し、ＲＡＭ上にポンプの運転回数及び積算運転時間を計測するカウンターを設け、給液装置の電源投入時に、ＥＥＰＲＯＭ内のポンプの運転回数及び積算運転時間のデータをＣＰＵ部が読み込み、該ＣＰＵ部が前記データをＲＡＭに書き込み、タイマー手段の動作時に、ＲＡＭに書き込まれたデータにカウンターで計測された運転回数及び積算運転時間を加えたデータをＥＥＰＲＯＭに書き込むことを特徴とする。
【００１３】
また、請求項２に記載の発明は請求項１に記載の給液装置において、カウンターに予め定めた値以上又は前回のＥＥＰＲＯＭへのデータの書き込みより、経過時間が予め定められた時間以上となった場合に、ＥＥＰＲＯＭへの書き込みを行うことを特徴とする。
【００１５】
また、請求項３に記載の発明は請求項１に記載の給液装置において、ポンプの運転回数及び積算運転時間を表示部へ出力する出力手段と、制御部からの出力を入力することにより表示の有無を選択する選択手段とを備え、選択手段が有の時は、運転回数、積算運転時間のデータを更新し、選択手段が無の時は、データをゼロにして初期化し、更新を行わないことを特徴とする。
【００１６】
【発明の実施の形態】
以下、本発明の実施の形態例を図面に基づいて説明する。図１は本発明に係る給液装置の制御部の構成例を示す図である。本発明の給液装置の構成は、上記従来の給液装置と略同じ構成であるので、その説明は省略する。４−３ａはＤＩＰ−ＳＷ部より出力された入力信号である。
【００１７】
電源が投入されると、先ずＣＰＵ部４−２はＥＥＰＲＯＭ４−６に書き込まれている運転回数１、２及び積算運転時間１、２を読み込み、その各値をＲＡＭ４−５に書き込む。ＣＰＵ部４−２は、ＲＡＭ４−５に書き込まれた値を読み込み、出力部４−７より表示部５に出力し、表示部５はその各値を表示する。ポンプＰ１、Ｐ２が運転停止を繰り返す毎に運転回数１、２がそれぞれ更新されるが、データの更新を以下の方法で行う。
【００１８】
図２はＥＥＰＲＯＭ４−６上のデータを示す図である。各データの容量は１バイトであり、その値は１６進数である。同図において、Ｂ１〜Ｂ６は運転時間１のデータを、Ｃ１〜Ｃ６は積算運転時間１のデータ、Ａ１〜Ａ５は運転回数１のデータを示す。
【００１９】
先ず、運転回数のデータの更新について、運転回数１にて説明する。図３は、運転回数１のＲＡＭ４−５上のデータを示す図である。電源の投入と同時にＥＥＰＲＯＭ４−６上の運転回数１のデータＡ５〜Ａ１（図２参照）をＣＰＵ部４−２が読み込み、該値をＲＡＭ４−５上のＥＥＰＲＯＭ内データＡ５〜Ａ１（図３参照）に書き込む。
【００２０】
ＲＡＭ４−５上には、カウンターとしてＤ２、Ｄ１の２バイト分を設定し、該カウンターに０の値をいれて初期化をする。ポンプＰ１が停止又は運転される毎に、前記カウンターの下位Ｄ１に１を加えて、カウンターの値がＤ２、Ｄ１ともにＦ又は前回のＥＥＰＲＯＭ４−６へのデータの書き込みから４時間経過している場合は、ＲＡＭ４−５上のＥＥＰＲＯＭ内データＡ５〜Ａ１の値（図３参照）に、カウンターのデータＤ２、Ｄ１の値を加えた値を、ＥＥＰＲＯＭ４−６上の運転回数１のデータＡ５〜Ａ１（図２参照）に書き込む。
【００２１】
実際に、ＥＥＰＲＯＭ４−６上への書き込みは、強制タイマーが作動した時に行われ、前記運転回数１のほかに積算運転時間１、２及び運転回数２の全てのデータが更新される。
【００２２】
次に、積算運転時間のデータの更新について、積算運転時間１にて説明する。図４は、運転時間１のＲＡＭ上のデータを示す図である。電源の投入と同時に、ＥＥＰＲＯＭ４−６上の運転時間１のデータＢ６〜Ｂ１（図２参照）を、ＣＰＵ部４−２が読み込み、該値をＲＡＭ４−５上のＥＥＰＲＯＭ内データＢ６〜Ｂ１（図４）に書き込む。運転時間１のデータＢ６〜Ｂ１及びＥＥＰＲＯＭ内データＢ６〜Ｂ１は、上位Ｂ６〜Ｂ２は時間、下位Ｂ１は分の単位である。
【００２３】
ＲＡＭ４−５上には、時間計としてＥ２、Ｅ１の２バイト分を設定し、上位Ｅ２は時間、下位Ｅ１は分の単位とする。時間計は、１／１６時間（３．７５分）毎に下位Ｅ１に１を加えられ、該下位Ｅ１の値がＦとなると上位Ｅ２に１が加えられる。ＥＥＰＲＯＭ４−６上の積算運転時間１のデータＣ６〜Ｃ１（図２参照）及び運転時間１のデータＢ６〜Ｂ１は、上記強制タイマーが作動した時に、ＲＡＭ４−５上のＥＥＰＲＯＭ内データＢ６〜Ｂ１（図４参照）の値が書き込まれる。時間計は２バイトで最大１５時間５６．２５分まで保持できるので、書き込みまでの時間を４時間経過後としても、更新される毎に前記時間計のデータＥ２、Ｅ１はゼロクリアされるため、充分に運転時間のデータを保証することができる。
【００２４】
表示部５は、制御部４の入力部４−３よりＤＩＰ−ＳＷ４−３ａからの出力を入力信号として入力することにより、表示の有無を選択することができる。表示の選択された場合は、運転回数１、２及び積算運転時間１、２の値はゼロから計算され、表示の選択がされない場合は、該値はゼロに初期化される。運転回数１、２及び積算運転時間１、２のデータは、表示部５の運転回数表示部５−１及び運転時間表示部５−２に出力部４−７より通信により表示するため、該表示部５に使用されるＣＰＵ電源を通信線上に加えるバースト信号方式にて行えば、２本の線で表示部５を接続することができる。
【００２５】
【発明の効果】
以上説明したように本発明によれば下記のごとく優れた効果が得られる。
（１）ＥＥＰＲＯＭへの書き込みをデータが更新される毎に行うのではなく、ＲＡＭ上に更新データを記憶させてから行うために、ＥＥＰＲＯＭへの書き込み回数が少なくなり、また、ＥＥＰＲＯＭへ書き込むためにはＲＡＭ上のデータが予め定められた値以上又は前回のＥＥＰＲＯＭへの書き込みより、経過時間が予め定められた時間以上になった場合にＥＥＰＲＯＭ上にデータを書き込むため、例えば停電となりＲＡＭ内のデータが消失しても被害が小さくてすむ。
【００２６】
（２）ポンプの強制運転時に一般のシーケンス制御をする必要がないことから、ＥＥＰＲＯＭへ書き込むタイミングを該ポンプの強制運転時に行うことにより、ＥＥＰＲＯＭへの書き込みを充分にできる。
【００２７】
（３）表示の有無を選択する選択手段があることにより、使用前に表示を有としておけば、後から表示部をつけた場合でも、使用後からのデータの値を表示することができ、また、使用後に表示無とすることにより使用後のデータの値をクリアすることができる。
【図面の簡単な説明】
【図１】本発明に係る給液装置の制御部の構成を示す図である。
【図２】本発明に係る給液装置の制御部のＥＥＰＲＯＭ上のデータを示す図である。
【図３】本発明に係る運転回数１のＲＡＭ上のデータを示す図である。
【図４】本発明に係る運転時間１のＲＡＭ上のデータを示す図である。
【図５】従来の給液装置の構成を示す図である。
【図６】従来の給液装置の制御部４の構成を示す図である。
【符号の説明】
１                  給液装置
２−１、２−２      ドライバー
３                  電源接続用端子
４                  制御部
５                  表示部
６                  集合管
７                  圧力発信器
８                  圧力タンク
９−１、９−２      水量検知器
ＥＬＢ１、ＥＬＢ２  漏電遮断器
Ｐ１、Ｐ２          ポンプ
Ｍ１、Ｍ２          電動機
【図１】
0003761653.tif 000002
【図２】
0003761653.tif 000003
【図３】
0003761653.tif 000004
【図４】
0003761653.tif 000005
【図５】
0003761653.tif 000006
【図６】
0003761653.tif 000007